(57)【要約】【課題】２画面表示の実行時において所望の情報を確実に伝達し得る表示装置を提供する。【解決手段】第１のチャンネルの映像と第２のチャンネルの映像とを表示部１１に２画面表示させる主制御部２１を備え、主制御部２１は、第１のチャンネルの映像に含まれる図柄の中から指定された指定図柄が２画面表示の実行中に非表示となったときに、非表示となる直前における第１のチャンネルの映像を第２のチャンネルの映像と共に表示部１１に２画面表示させる。【選択図】図１
2006101087.tif 000002
【特許請求の範囲】
【請求項１】
第１のチャンネルの映像と第２のチャンネルの映像とを表示部に２画面表示させる制御部を備え、
前記制御部は、前記第１のチャンネルの映像に含まれる図柄の中から指定された指定図柄が前記２画面表示の実行中に非表示となったときに、当該非表示となる直前における前記第１のチャンネルの映像を前記第２のチャンネルの映像と共に２画面表示させる表示装置。
【請求項２】
前記制御部は、前記２画面表示において前記第１のチャンネルの映像における前記指定図柄が含まれる指定範囲の映像を前記第２のチャンネルの映像に重ね合わせて表示させる請求項１記載の表示装置。
【請求項３】
請求項１または２記載の表示装置と、前記各チャンネルの前記映像を表示させる放送信号を抽出する放送信号抽出部とを備えているテレビ。
【請求項４】
前記放送信号抽出部は、前記第１のチャンネルの前記映像を表示させる放送信号を抽出する第１チューナと、前記第２チャンネルの前記映像を表示させる放送信号を抽出する第２チューナとを備えている請求項３記載のテレビ。
【発明の詳細な説明】
【技術分野】
【０００１】
本発明は、２つのチャンネルの各映像を表示部に２画面表示させる制御部を備えた表示装置、およびその表示装置を備えたテレビに関するものである。
【背景技術】
【０００２】
この種のテレビとして、特開平６−２５３２３２号公報に開示されたテレヒジョン受像機が知られている。このテレヒジョン受像機は、同時に放送されている２つのチャンネルの映像うちの一方の映像における指定領域を他方の映像に重畳して表示可能に構成されている。このため、例えば、ドラマ番組を視聴しつつ他のチャンネルで同時に放送されているスポーツ番組の進行状況だけを確認したいときに、スポーツ番組の進行状況（得点や残り時間等）を表示している僅かな映像領域だけを指定してドラマ番組の映像に重畳させることで、重畳によってドラマ番組の映像が隠される部分を少なく抑えることが可能となっている。
【特許文献１】特開平６−２５３２３２号公報（第３−４頁、第４図）
【発明の開示】
【発明が解決しようとする課題】
【０００３】
ところが、従来のテレヒジョン受像機には、以下の問題点がある。すなわち、このテレヒジョン受像機では、同時に放送されている２つのチャンネルの映像のうちの一方の映像における指定領域を他方の映像に重畳して表示している。このため、上記したようにスポーツ番組の進行状況を表示している領域を指定した際に、例えば、そのチャンネルでコマーシャルが放送されたときには、進行状況を示す映像に代えてコマーシャルの一部の映像が表示されることとなる。このため、例えば、コマーシャルの開始前における映像を見落としたときには、コマーシャルが終了するまでゲームの進行状況などの所望の情報を取得することができず、視聴者に不満を与えることとなる。
【０００４】
本発明は、かかる問題点に鑑みてなされたものであり、２画面表示の実行時において所望の情報を確実に伝達し得る表示装置およびテレビを提供することを主目的とする。
【課題を解決するための手段】
【０００５】
上記目的を達成すべく本発明に係る表示装置は、第１のチャンネルの映像と第２のチャンネルの映像とを表示部に２画面表示させる制御部を備え、前記制御部は、前記第１のチャンネルの映像に含まれる図柄の中から指定された指定図柄が前記２画面表示の実行中に非表示となったときに、当該非表示となる直前における前記第１のチャンネルの映像を前記第２のチャンネルの映像と共に２画面表示させる。
【０００６】
この表示装置によれば、指定図柄が２画面表示の実行中に非表示となったときに、その直前における第１のチャンネルの映像を第２のチャンネルの映像と共に２画面表示することにより、例えば、第１のチャンネルでコマーシャルが放送されたとしても、コマーシャルの放送開始直前における映像を表示させることができる。このため、例えば、コマーシャルの放送開始前における映像を見落とした視聴者に対しても、所望の情報を確実に伝達することができる。
【０００７】
また、本発明に係る表示装置は、上記の表示装置において、前記制御部は、前記２画面表示において前記第１のチャンネルの映像における前記指定図柄が含まれる指定範囲の映像を前記第２のチャンネルの映像に重ね合わせて表示させる。
【０００８】
この表示装置によれば、例えば、第１のチャンネルの映像における指定範囲の映像を第２のチャンネルの映像に重ね合わせて表示することにより、第２のチャンネルの映像における指定範囲の映像によって隠される部分を少なく抑えることができる結果、第２のチャンネルの映像を見易く表示することができる。
【０００９】
また、本発明に係るテレビは、上記の表示装置と、前記各チャンネルの前記映像を表示させる放送信号を抽出する放送信号抽出部とを備えている。
【００１０】
このテレビによれば、上記の表示装置と放送信号抽出部とを備えたことにより、上記の表示装置が有する効果と同様の効果を実現することができる。
【００１１】
さらに、本発明に係るテレビは、上記のテレビにおいて、前記放送信号抽出部は、前記第１のチャンネルの前記映像を表示させる放送信号を抽出する第１チューナと、前記第２チャンネルの前記映像を表示させる放送信号を抽出する第２チューナとを備えている。
【００１２】
このテレビによれば、第１チューナおよび第２チューナを備えたことにより、例えば、２つのチャンネルの放送信号を１つのチューナで抽出する構成とは異なり、映像をスムーズに表示することができる。
【発明を実施するための最良の形態】
【００１３】
以下、本発明に係る表示装置およびテレビの最良の形態について、添付図面を参照して説明する。図１に示すテレビ１は、リアプロジェクション型のテレビであって、本体部２およびリモコン３を備えている。本体部２は、表示部１１、表示制御部１２、選局処理部１３、第１チューナ１４ａ、第２チューナ１４ｂ、第１映像信号処理部１５ａ、第２映像信号処理部１５ｂ、第１フレームメモリ１６ａ、第２フレームメモリ１６ｂ、映像抽出部１７、指定領域映像メモリ１８、指定図柄メモリ１９、受光部２０および主制御部２１を備えている。この場合、表示部１１、表示制御部１２、選局処理部１３、第１映像信号処理部１５ａ、第２映像信号処理部１５ｂ、第１フレームメモリ１６ａ、第２フレームメモリ１６ｂ、映像抽出部１７、指定領域映像メモリ１８、指定図柄メモリ１９、受光部２０、主制御部２１およびリモコン３によって本発明に係る表示装置が構成される。なお、テレビ１は、実際には、音声出力部を備えているが、本発明についての理解を容易とするために、その図示および説明を省略する。
【００１４】
表示部１１は、図１に示すように、光学エンジン３１およびスクリーンパネル３２を備えている。光学エンジン３１は、本体部２の内部に配設されて、表示制御部１２から出力された表示用信号Ｓｅに基づいて変調した投射光Ｌをスクリーンパネル３２の背面側から投射する。具体的には、光学エンジン３１は、例えば、光源と、光源からの光を投射光Ｌに変調する光変調素子（一例として、ＤＭＤ（Digital Micro Mirror Device ）や液晶ライトバルブ）と、投射光Ｌを拡大する投射レンズ（いずれも図示せず）とを備えている。なお、このテレビ１では、実際には、光学エンジン３１からの投射光Ｌが反射ミラーによって反射されてスクリーンパネル３２に投射されるが、本発明についての理解を容易とするために、その図示および説明を省略する。スクリーンパネル３２は、光学エンジン３１から投射された投射光Ｌを受光して映像を表示する。
【００１５】
表示制御部１２は、主制御部２１の制御に従い、第１フレームメモリ１６ａに記録されている映像データＤｐに基づき、例えば、図２に示すテレビ映像Ｐｔ１（以下、映像の内容を区別しないときには「テレビ映像Ｐｔ」ともいう）を１画面表示させるための表示用信号Ｓｅを生成して光学エンジン３１に出力する。また、表示制御部１２は、主制御部２１の制御に従い、第１フレームメモリ１６ａに記録されている映像データＤｐおよび映像抽出部１７から出力された指定領域映像データＤｓ２に基き、例えば、図６に示すように、テレビ映像Ｐｔ３と指定領域映像Ｐｓとを重ね合わせて２画面表示させるための表示用信号Ｓｅを生成して光学エンジン３１に出力する。選局処理部１３は、主制御部２１の制御に従って制御信号Ｓｃ２を出力することにより、チューナ１４ａ，１４ｂによる放送信号Ｓｂの抽出や、映像信号処理部１５ａ，１５ｂによる映像データＤｐの出力を制御する。
【００１６】
チューナ１４ａ，１４ｂは、本発明における放送信号抽出部に相当し、選局処理部１３から出力された制御信号Ｓｃ２に従い、その制御信号Ｓｃ２によって指定されたチャンネルの放送信号Ｓｂを図外のアンテナで受信した放送波から抽出して、映像信号処理部１５ａ，１５ｂにそれぞれ出力する。映像信号処理部１５ａ，１５ｂは、例えば、ＩＦ回路、映像検波回路およびＡ／Ｄ変換部（いずれも図示せず）などを備えている。この場合、第１映像信号処理部１５ａは、第１チューナ１４ａから出力された放送信号Ｓｂに基づく映像データＤｐを第１フレームメモリ１６ａに出力し、第２映像信号処理部１５ｂは、第２チューナ１４ｂから出力された放送信号Ｓｂに基づく映像データＤｐを第２フレームメモリ１６ｂに出力する。
【００１７】
フレームメモリ１６ａ，１６ｂは、映像信号処理部１５ａ，１５ｂから出力された映像データＤｐを一時的に記憶する。映像抽出部１７は、図５に示す映像抽出処理５０を実行することにより、後述する領域指定操作によって指定されたテレビ映像Ｐｔ内の指定領域Ａ１（図３参照）に対応する指定領域映像データＤｓ２を第２フレームメモリ１６ｂに記録されている映像データＤｐから抽出すると共に、指定領域映像メモリ１８への指定領域映像データＤｓ２の記録および表示制御部１２への指定領域映像データＤｓ２の転送を制御する。また、映像抽出部１７は、後述する図柄指定操作によって指定された指定図柄（例えば、図４に示す「Ａ」および「Ｂ」の文字の図柄）Ｐｐを示す指定図柄データＤｓ１を第２フレームメモリ１６ｂに記録されている映像データＤｐから抽出すると共に、指定図柄メモリ１９への指定図柄データＤｓ１の記録を制御する。指定領域映像メモリ１８は、映像抽出部１７の制御に従って指定領域映像データＤｓ２を記憶する。指定図柄メモリ１９は、映像抽出部１７の制御に従って指定図柄データＤｓ１を記憶する。
【００１８】
受光部２０は、リモコン３から出力された赤外線信号Ｓｉを受光して光電変換して操作信号Ｓｏを出力する。主制御部２１は、受光部２０から出力された操作信号Ｓｏに従って制御信号Ｓｃ１を出力して表示制御部１２、選局処理部１３および映像抽出部１７を制御することにより、テレビ映像Ｐｔをスクリーンパネル３２の全面に表示させる１画面表示制御、およびテレビ映像Ｐｔと指定領域映像Ｐｓ（図６参照）とを重ね合わせて表示させる２画面表示制御を実行する。なお、映像抽出部１７および主制御部２１によって本発明における制御部が構成される。
【００１９】
リモコン３は、図２に示すように、本体部２とは別体に形成されている。また、リモコン３は、電源ボタン４１、チャンネルボタン４２，４２・・、カーソルボタン４３，４３・・、決定ボタン４４、表示モード切替ボタン４５、領域指定ボタン４６および図柄指定ボタン４７などの各種操作ボタンが配列されて構成され、これらの操作ボタンが操作されたときに、各操作ボタンに対応する操作信号を赤外線信号Ｓｉに変換して出力する。
【００２０】
次に、テレビ１の全体的な動作について、図面を参照して説明する。このテレビ１では、リモコン３の電源ボタン４１が操作された際に、表示部１１の光学エンジン３１に電源が供給されて、光源が発光する。また、主制御部２１が直前の電源切断時に選局されていたチャンネル（例えばチャンネルＣＨ３）のテレビ映像Ｐｔを１画面表示させる制御信号Ｓｃ１を選局処理部１３および表示制御部１２に出力する。これに応じて、選局処理部１３が、制御信号Ｓｃ２を第１チューナ１４ａおよび第１映像信号処理部１５ａに出力する。次いで、第１チューナ１４ａが、制御信号Ｓｃ２に従ってチャンネルＣＨ３の放送信号Ｓｂを抽出する。続いて、第１映像信号処理部１５ａが、制御信号Ｓｃ２に従って放送信号Ｓｂに基づく映像データＤｐを生成して第１フレームメモリ１６ａに出力する。次に、表示制御部１２が、第１フレームメモリ１６ａから映像データＤｐを読み出して、映像データＤｐに基づく表示用信号Ｓｅを生成して表示部１１の光学エンジン３１に出力する。これに応じて、光学エンジン３１が光源からの光を表示用信号Ｓｅに基づく投射光Ｌに変調してスクリーンパネル３２に投射する。これにより、図２に示すように、例えば、チャンネルＣＨ３の天気予報番組のテレビ映像Ｐｔ１がスクリーンパネル３２に１画面表示される。
【００２１】
次いで、例えば、野球中継を放送しているチャンネルＣＨ１に切り替えるときには、リモコン３のチャンネルＣＨ１に対応するチャンネルボタン４２（図２に示す「１」の数字が付されたチャンネルボタン４２）を操作する。この際に、リモコン３がチャンネルボタン４２に対応する赤外線信号Ｓｉを出力し、受光部２０が赤外線信号Ｓｉを受光して操作信号Ｓｏを出力する。続いて、主制御部２１は、操作信号Ｓｏに従い、チャンネルＣＨ１のテレビ映像Ｐｔを１画面表示させる制御信号Ｓｃ１を選局処理部１３および表示制御部１２に出力する。次に、選局処理部１３が、制御信号Ｓｃ１に従って制御信号Ｓｃ２を第１チューナ１４ａおよび第１映像信号処理部１５ａに出力する。これに応じて、第１チューナ１４ａがチャンネルＣＨ１の放送信号Ｓｂを抽出し、第１映像信号処理部１５ａが放送信号Ｓｂに基づく映像データＤｐを生成して第１フレームメモリ１６ａに出力する。次いで、表示制御部１２が映像データＤｐに基づく表示用信号Ｓｅを出力することにより、光学エンジン３１から投射光Ｌが投射されて、図３に示すように、チャンネルＣＨ１のテレビ映像Ｐｔ２（野球中継の映像）がスクリーンパネル３２に１画面表示される。
【００２２】
続いて、例えば、チャンネルＣＨ１（本発明における第１のチャンネル）の野球中継の進行状況や得点を確認しつつ、チャンネルＣＨ６（本発明における第２のチャンネル）の番組を視聴するときには、チャンネルＣＨ６のテレビ映像Ｐｔを主画面として表示させると共に、野球中継のテレビ映像Ｐｔの一部の領域を副画面として主画面に重ね合わせて２画面表示させるために、リモコン３の領域指定ボタン４６を操作する。次に、主制御部２１は、操作信号Ｓｏに従って領域指定用のカーソルを表示させる制御信号Ｓｃ１を表示制御部１２に出力する。これに応じて、表示制御部１２がカーソル表示用の表示用信号Ｓｅを光学エンジン３１に出力することにより、図３に示すように、テレビ映像Ｐｔ２内にカーソルＰｃが表示される。次いで、同図に示すように、例えば、野球中継のテレビ映像Ｐｔ２内に表示されているゲームの進行状況を示す領域を副画面として表示させる指定領域Ａ１として指定するために、リモコン３のカーソルボタン４３を操作してその領域を取り囲むようにしてカーソルＰｃを移動させた後に決定ボタン４４を操作する。続いて、リモコン３の図柄指定ボタン４７を操作する。次に、主制御部２１が操作信号Ｓｏに従って図柄指定用のカーソルを表示させる制御信号Ｓｃ１を表示制御部１２に出力することにより、図４に示すように、指定領域Ａ１内にカーソルＰｃが表示される。次いで、同図に示すように、例えば、指定領域Ａ１内に表示されているチーム名を示す「Ａ」および「Ｂ」の文字を指定図柄Ｐｐとして指定するために、リモコン３のカーソルボタン４３を操作して両文字「Ａ」および「Ｂ」を取り囲むようにしてカーソルＰｃを移動させた後に決定ボタン４４を操作する。続いて、主制御部２１が操作信号Ｓｏに従って映像抽出部１７に制御信号Ｓｃ１を出力し、映像抽出部１７が指定図柄Ｐｐを示す指定図柄データＤｓ１を映像データＤｐから抽出して指定図柄メモリ１９に記録させる。
【００２３】
次に、表示モード切替ボタン４５を操作した後に、主画面として表示させるチャンネルＣＨ６に対応するチャンネルボタン４２（図２に示す「６」の数字が付されたチャンネルボタン４２）を操作する。次いで、主制御部２１は、操作信号Ｓｏに従い、指定領域Ａ１の指定領域映像ＰｓをチャンネルＣＨ６のテレビ映像Ｐｔに重ね合わせて２画面表示させる制御信号Ｓｃ１を選局処理部１３、表示制御部１２および映像抽出部１７に出力する。続いて、選局処理部１３は、第１チューナ１４ａ、第１映像信号処理部１５ａ、第２チューナ１４ｂおよび第２映像信号処理部１５ｂに制御信号Ｓｃ２を出力する。次に、第１チューナ１４ａがチャンネルＣＨ６の放送信号Ｓｂを抽出し、第１映像信号処理部１５ａがこの放送信号Ｓｂに基づく映像データＤｐを第１フレームメモリ１６ａに出力する。また、第２チューナ１４ｂがチャンネルＣＨ１の放送信号Ｓｂを抽出し、第２映像信号処理部１５ｂがこの放送信号Ｓｂに基づく映像データＤｐを第２フレームメモリ１６ｂに出力する。
【００２４】
一方、映像抽出部１７は、主制御部２１から出力された制御信号Ｓｃ１に従って図５に示す映像抽出処理５０を実行する。この映像抽出処理５０では、映像抽出部１７は、第２フレームメモリ１６ｂから映像データＤｐを読み出すと共に、指定図柄Ｐｐを示す指定図柄データＤｓ１を映像データＤｐから抽出する（ステップ５１）。次に、映像抽出部１７は、指定図柄メモリ１９に記録済みの指定図柄データＤｓ１（この例では、「Ａ」および「Ｂ」を示す指定図柄データＤｓ１）と新たに抽出した指定図柄データＤｓ１とを比較して両データ（両図柄）が一致するか否かを判別する（ステップ５２）。この場合、チャンネルＣＨ１で野球中継が引き続き放送されて指定領域Ａ１内に「Ａ」および「Ｂ」の指定図柄Ｐｐが含まれているときには、両データが一致するため、映像抽出部１７は、指定領域Ａ１に対応する指定領域映像データＤｓ２を第２フレームメモリ１６ｂ内の映像データＤｐから抽出する（ステップ５３）。次いで、映像抽出部１７は、指定領域映像データＤｓ２を指定領域映像メモリ１８に記憶させると共に（ステップ５４）、表示制御部１２に出力する（ステップ５５）。
【００２５】
続いて、表示制御部１２は、第１フレームメモリ１６ａからチャンネルＣＨ６の映像データＤｐを読み出して、その映像データＤｐと映像抽出部１７から出力された指定領域映像データＤｓ２とに基づいて２画面表示用の表示用信号Ｓｅを生成して光学エンジン３１に出力する。次に、光学エンジン３１が表示用信号Ｓｅに基づく投射光Ｌを投射することにより、図６に示すように、副画面としての指定領域映像Ｐｓが主画面としてのチャンネルＣＨ６のテレビ映像Ｐｔ３に重ね合わされて２画面表示される。
【００２６】
次いで、映像抽出部１７は、ステップ５１，５２を実行する。この際に、チャンネルＣＨ１で野球中継が引き続き放送されているときには、指定図柄メモリ１９に記録済みの指定図柄データＤｓ１と新たに抽出した指定図柄データＤｓ１とが一致するため、映像抽出部１７は、ステップ５３〜５５を実行する。以下、同様にして、映像抽出部１７は、野球中継が引き続き放送されている間、ステップ５１〜５５を所定のサイクルで繰り返して実行する。この場合、映像抽出部１７は、新たに抽出した指定領域映像データＤｓ２を指定領域映像メモリ１８に上書き記録させると共に表示制御部１２に出力する。したがって、ゲームの進行に応じて変化する最新の指定領域映像ＰｓがチャンネルＣＨ６のテレビ映像Ｐｔ３に重ね合わされて２画面表示されるため、野球中継の進行状況や得点を確認しつつチャンネルＣＨ６の番組を視聴することができる。
【００２７】
続いて、例えば、図７に示すように、チャンネルＣＨ１において野球中継の途中でコマーシャルが放送されたときには、それまでに表示されていた「Ａ」および「Ｂ」の指定図柄Ｐｐが非表示となる。この際には、映像抽出部１７は、新たに抽出した指定図柄データＤｓ１が記録済みの指定図柄Ｐｐを示す指定図柄データＤｓ１とは異なると判別して（ステップ５２）、指定領域映像メモリ１８に記録されている指定領域映像データＤｓ２（指定図柄Ｐｐが非表示となる直前の指定領域映像データＤｓ２）を読み出す（ステップ５６）。次に、映像抽出部１７は、読み出した指定領域映像データＤｓ２を表示制御部１２に出力する（ステップ５５）。次いで、表示制御部１２が指定領域映像データＤｓ２およびチャンネルＣＨ６の映像データＤｐに基づいて２画面表示用の表示用信号Ｓｅを出力し、光学エンジン３１が表示用信号Ｓｅに基づく投射光Ｌを投射することにより、指定領域映像ＰｓがチャンネルＣＨ６のテレビ映像Ｐｔ３に重ね合わされて２画面表示される。
【００２８】
この場合、新たに抽出した指定図柄データＤｓ１が指定図柄メモリ１９に記録済みの指定図柄データＤｓ１とは異なるときに、映像抽出部１７が、指定領域映像メモリ１８に記録されている指定領域映像データＤｓ２を表示制御部１２に出力するため、野球中継の途中でコマーシャルが放送されたとしても、コマーシャルの放送開始前における指定領域映像Ｐｓが表示される。したがって、ゲームの進行状況や得点を確実に認識させることができる。続いて、コマーシャルが終了して野球中継が再開したときには、映像抽出部１７は、上記と同様にしてステップ５１〜５５を実行する。以後、映像抽出部１７は、例えば、リモコン３の表示モード切替ボタン４５が操作されて、２画面表示を解除する制御信号Ｓｃ１が主制御部２１から出力されるまで映像抽出処理５０を繰り返して実行する。
【００２９】
このように、このテレビ１によれば、副画面として表示させるテレビ映像Ｐｔ内で指定された指定図柄Ｐｐが２画面表示の実行中に非表示となったときに、その直前における指定領域映像Ｐｓと主画面のテレビ映像Ｐｔとを２画面表示させることにより、例えば、副画面のチャンネルでコマーシャルが放送されたとしても、コマーシャルの放送開始直前における指定領域映像Ｐｓを表示させることができる。このため、例えば、コマーシャルの放送開始前における指定領域映像Ｐｓを見落とした視聴者に対しても、所望の情報を確実に伝達することができる。
【００３０】
また、テレビ映像Ｐｔの一部である指定領域映像Ｐｓを副画面として主画面のテレビ映像Ｐｔに重ね合わせて表示することにより、主画面のテレビ映像Ｐｔにおける指定領域映像Ｐｓによって隠される部分を少なく抑えることができる結果、主画面のテレビ映像Ｐｔを見易く表示することができる。
【００３１】
また、主画面用の放送信号Ｓｂを抽出する第１チューナ１４ａと、副画面用の放送信号Ｓｂを抽出する第２チューナ１４ｂとを備えたことにより、例えば、両放送信号Ｓｂを１つのチューナで抽出する構成とは異なり、主画面のテレビ映像Ｐｔをスムーズに表示することができる。
【００３２】
なお、本発明は、上記の構成に限定されない。例えば、光学エンジン３１およびスクリーンパネル３２を備えて表示部１１を構成した例について上記したが、表示部として、ＣＲＴ、液晶表示パネルおよびプラズマディスプレイを採用することもできる。また、第１チューナ１４ａおよび第２チューナ１４ｂの２つのチューナを備えた例について上記したが、２つのチャンネルの放送信号Ｓｂを１つのチューナで抽出する構成を採用することもできる。また、テレビ映像Ｐｔ２の一部である副画面としての指定領域映像Ｐｓを主画面としてのテレビ映像Ｐｔ３に重ね合わせて２画面表示する例について上記したが、図８に示すように、テレビ映像Ｐｔ２の全体を縮小したテレビ映像Ｐｔ４をテレビ映像Ｐｔ３に重ね合わせて２画面表示する際に本発明を適用することもできる。この場合、両テレビ映像Ｐｔ３，４を互いに重なり合わないように並べて表示することもできる。また、指定領域映像Ｐｓをスクリーンパネル３２の右下に表示させた例（図６参照）について上記したが、例えば、リモコン３の操作によって指定領域映像Ｐｓの表示位置を任意に変更可能な構成を採用することもできる。また、チューナが別体に構成されている表示装置に本発明を適用することもできる。
【図面の簡単な説明】
【００３３】
【図１】テレビ１の構成を示すブロック図である。
【図２】テレビ１の正面図である。
【図３】テレビ映像Ｐｔ２の表示画面図である。
【図４】テレビ映像Ｐｔ２における指定領域Ａ１の表示画面図である。
【図５】映像抽出処理５０のフローチャートである。
【図６】テレビ映像Ｐｔ３および指定領域映像Ｐｓの表示画面図である。
【図７】コマーシャルのテレビ映像Ｐｔの表示画面図である。
【図８】テレビ映像Ｐｔ３，Ｐｔ４の表示画面図である。
【符号の説明】
【００３４】
１  テレビ、  １４ａ  チューナ、  １４ｂ  チューナ、  １７  映像抽出部、  ２１  主制御部、  Ａ１  指定領域、  ＣＨ１  チャンネル、  ＣＨ６  チャンネル、  Ｐｐ  指定図柄、  Ｐｓ  指定領域映像、  Ｐｔ２  テレビ映像、  Ｐｔ３  テレビ映像、  Ｐｔ４  テレビ映像、  Ｓｂ  放送信号
【図１】
2006101087.tif 000003
【図２】
2006101087.tif 000004
【図３】
2006101087.tif 000005
【図４】
2006101087.tif 000006
【図５】
2006101087.tif 000007
【図６】
2006101087.tif 000008
【図７】
2006101087.tif 000009
【図８】
2006101087.tif 000010